(57)【要約】【課題】防火性がより高い建具を提供する。【解決手段】長手方向に沿う第１中空部を有し、内障子及び外障子を各々案内する内レール及び外レールと、前記内レールの上端と前記外レールの上端とを連結する連結部を含み当該連結部上に長手方向に沿う第２中空部を有する本体部と、を有する合成樹脂製の上枠と、前記内レール及び前記外レールの前記第１中空部内に各々設けられた金属製のレール補強部材と、前記連結部上に配置され前記第２中空部内に収容され、前記内レールより室外側且つ前記外レールより室内側に配置される金属製部材と、前記第２中空部内に設けられた加熱発泡材と、を有する。【選択図】図３
2018188806.tif 000002
【特許請求の範囲】
【請求項１】
長手方向に沿う第１中空部を有し、内障子及び外障子を各々案内する内レール及び外レールと、前記内レールの上端と前記外レールの上端とを連結する連結部を含み当該連結部上に長手方向に沿う第２中空部を有する本体部と、を有する合成樹脂製の上枠と、
前記内レール及び前記外レールの前記第１中空部内に各々設けられた金属製のレール補強部材と、
前記連結部上に配置され前記第２中空部内に収容され、前記内レールより室外側且つ前記外レールより室内側に配置される金属製部材と、
前記第２中空部内に設けられた加熱発泡材と、
を有することを特徴とする建具。
【請求項２】
請求項１に記載の建具であって、
前記内障子及び前記外障子は、召合せ部に互いに係合する煙返しを有し、
前記内障子の前記煙返し及び前記外障子の前記煙返しのうちの少なくともいずれか一方は、金属製の煙返し補強部材を有し、
前記金属製部材は、前記煙返し補強部材の上方に位置していることを特徴とする建具。
【請求項３】
請求項２に記載の建具であって、
前記レール補強部材は、当該レール補強部材の上に設けられ躯体との間を連結する連結補強部材に固定されており、
前記金属製部材の高さは、前記煙返し補強部材の上端と前記連結補強部材の下端との間隔より高いことを特徴とする建具。
【請求項４】
請求項１乃至請求項３のいずれかに記載の建具であって、
前記金属製部材の室内側及び室外側に各々、前記連結補強部材が設けられており、
前記連結補強部材は、躯体に固定される金属製の躯体固定部材と連結されていることを特徴とする建具。
【請求項５】
請求項１乃至請求項４のいずれかに記載の建具であって、
前記金属製部材は、前記内レール及び前記外レールに沿って設けられており、長手方向における両端部側にて前記上枠に固定されていることを特徴とする建具。
【請求項６】
請求項１乃至請求項５のいずれかに記載の建具であって、
前記本体部は、前記第２中空部を形成し前記連結部と対向する上面部を有し、
前記金属製部材は、前記上面部と対向する対向部を有し、
前記加熱発泡材は、前記上面部と前記対向部との間に設けられていることを特徴とする建具。
【発明の詳細な説明】
【技術分野】
【０００１】
本発明は、合成樹脂製の窓枠を備えた建具に関する。
【背景技術】
【０００２】
合成樹脂製の窓枠を備えた建具は知られている(例えば、特許文献１参照)。合成樹脂製の窓枠は、上枠、下枠、左縦枠及び右縦枠をなす枠材が四周枠組みされている。各枠材には、剛性を高めるために長手方向に沿う中空部が設けられており、また、窓枠に設けられ障子を案内するレールにおいても、長手方向に沿う中空部が設けられている。
【０００３】
合成樹脂製の窓枠は、防火性が低いため、中空部内には、レールも含めて補強部材として形鋼部材が中空部内に挿設されており、挿設された補強部材は、補強部材同士接合される、或いは、金属製の部材を介して躯体に固定され、火災等により窓枠が溶融しても補強部材が残存するように構成されている。更に、中空部内には、窓枠により形成される開口側に位置する壁面に近接させて熱膨張性耐火材が設けられているものもある。
【０００４】
引違い窓用の建具の障子を取り付ける場合には、所謂けんどん方式により装着するため、装着後の障子の召合せ部において障子の上端部と窓枠との間には、建具によって仕切られた２つの空間を連通する隙間が生じてしまう。このため、障子の召合せ部の上方であって、内障子が案内される内レールと、外障子が案内される外レールとの間に、隙間を塞ぐ合成樹脂製の風止め部材が設けられている。
【先行技術文献】
【特許文献】
【０００５】
【特許文献１】特開２００５−３５１００９号公報
【発明の概要】
【発明が解決しようとする課題】
【０００６】
上述した建具は、火災等により火炎に晒され、風止め部材とともに窓枠が溶融すると、開口側に位置する壁面に近接させて設けられた熱膨張性耐火材も加熱され、風止め部材が溶融して形成される空間内に熱膨張性耐火材が発泡する。このとき、より早く、より確実に、召合せ部の上方の内レールと外レールとの間が塞がれることが求められている。
本発明は、かかる課題に鑑みてなされたものであり、その目的とするところは、防火性がより高い建具を提供することにある。
【課題を解決するための手段】
【０００７】
かかる目的を達成するために本発明の建具は、長手方向に沿う第１中空部を有し、内障子及び外障子を各々案内する内レール及び外レールと、前記内レールの上端と前記外レールの上端とを連結する連結部を含み当該連結部上に長手方向に沿う第２中空部を有する本体部と、を有する合成樹脂製の上枠と、前記内レール及び前記外レールの前記第１中空部内に各々設けられた金属製のレール補強部材と、前記連結部上に配置され前記第２中空部内に収容され、前記内レールより室外側且つ前記外レールより室内側に配置される金属製部材と、前記第２中空部内に設けられた加熱発泡材と、を有することを特徴とする建具である。
【０００８】
このような建具によれば、火災等により上枠が溶融されるときには、連結部も溶融されるので、連結部上に配置されている金属製部材が降下するとともに、第２中空部内に設けられた加熱発泡材が発泡する。このため、内レールと外レールとの間に金属製部材が介在され、内レール、外レール、金属製部材の隙間に発泡した加熱発泡材が進入するので、防火性がより高い建具を提供することが可能である。
【０００９】
かかる建具であって、前記内障子及び前記外障子は、召合せ部に互いに係合する煙返しを有し、前記内障子の前記煙返し及び前記外障子の前記煙返しのうちの少なくともいずれか一方は、金属製の煙返し補強部材を有し、前記金属製部材は、前記煙返し補強部材の上方に位置していることが望ましい。
【００１０】
このような建具によれば、火炎により連結部が溶融されて金属製部材が降下するときには、煙返し補強部材の上に降下するので、内障子と外障子とで仕切られる２つの空間の間で火炎が貫通することをより確実に防止することが可能である。
【００１１】
かかる建具であって、前記レール補強部材は、当該レール補強部材の上に設けられ躯体との間を連結する連結補強部材に固定されており、
前記金属製部材の高さは、前記煙返し補強部材の上端と前記連結補強部材の下端との間隔より高いことが望ましい。
【００１２】
このような建具によれば、金属製部材の高さが、煙返し補強部材の上端と連結補強部材の下端との間隔より高いので、火炎により連結部が溶融されて煙返し補強部材上に降下した金属製部材の上端部は、連結補強部材の下端より上側に位置する。このため、金属製部材が煙返し補強部材上に降下しても内レール及び外レールが固定されている連結補強部材に両側から支持される。このため、降下した金属製部材を内レールと外レールとの間に留めておくことが可能である。
【００１３】
かかる建具であって、前記金属製部材の室内側及び室外側に各々、前記連結補強部材が設けられており、前記連結補強部材は、躯体に固定される金属製の躯体固定部材と連結されていることが望ましい。
【００１４】
このような建具によれば、躯体に固定される金属製の躯体固定部材と連結されている連結補強部材が金属製部材の室内側及び室外側に各々設けられているので、たとえ、火炎により上枠が溶融されたとしても、金属製部材の室内側及び室外側に連結補強部材は残存する。このため、連結部が溶融された場合には、連結補強部材に案内されて金属製部材が降下するので、金属製部材を、倒れないように降下させることが可能である。
【００１５】
かかる建具であって、前記金属製部材は、前記内レール及び前記外レールに沿って設けられており、長手方向における両端部側にて前記上枠に固定されていることが望ましい。
【００１６】
内レールと外レールとの間は、召合せ部を境に、内障子と外障子とより仕切られる２つの空間に分けられる。このため、上記建具のように、金属製部材がレールの両端部側にて上枠に固定されていると、一方の固定部と他方の固定部とは、互いに異なる空間側に位置することになる。このため、いずれか一方の空間側で火炎が発生し、一方の空間側における金属製部材の固定部が火炎に晒されて上枠が溶融しても、他方の空間側に位置する固定部により金属製部材が保持される。このため、一方の空間側の固定部が溶融しても、当該一方の空間側で金属製部材が降下し、召合せ部にて金属製部材が煙返し補強部材上に載置された状態を維持することが可能である。
【００１７】
かかる建具であって、前記本体部は、前記第２中空部を形成し前記連結部と対向する上面部を有し、前記金属製部材は、前記上面部と対向する対向部を有し、前記加熱発泡材は、前記上面部と前記対向部との間に設けられていることが望ましい。
【００１８】
このような建具によれば、加熱発泡材は、金属製部材の上に配置される連結部と対向し、第２中空部を形成する上面部と、当該上面部と対向する金属製部材の対向部との間に加熱発泡材が設けられているので、加熱発泡材が加熱されて発泡すると金属製部材が下方に押圧される。このため、より早く、より確実に金属製部材を降下させるとともに、内レールと外レールとの間に加熱発泡材を進入させることが可能である。
【発明の効果】
【００１９】
本発明によれば、防火性がより高い建具を提供することが可能である。
【図面の簡単な説明】
【００２０】
【図１】本実施形態に係る建具を示す縦断面図である。
【図２】本発明に係る建具の横断面を下から見た図である。
【図３】建具の上部を示す縦断面図である。
【図４】金属製部材を示す斜視図である。
【図５】本発明に係る建具の上部が加熱された状態を示す縦断面図である。
【図６】建具の上部が加熱され一方の固定部が溶融した状態の金属製部材を示す図である。
【発明を実施するための形態】
【００２１】
以下、本発明の一実施形態に係る建具について図面を参照して説明する。
本実施形態の建具１は、図１に示すように、枠体２と、枠体２に支持される内障子３及び外障子４を備えた引違い窓用の建具１である。
【００２２】
以下の説明においては、建具１が建物等に取り付けられている状態で、上下となる方向を上下方向、左右となり内障子３及び外障子４の移動方向を左右方向、奥行き方向を見込み方向として示す。建具１の各部位であっても、また、建具１を構成する各部材については単体の状態であっても、建物等に取り付けられている状態にて上下方向、左右方向、見込み方向となる方向にて方向を特定して説明する。
【００２３】
図１〜図３に示すように、内障子３及び外障子４はいずれも、矩形状の複層ガラス５と、複層ガラス５の周端部を収容して矩形状をなす合成樹脂製の框体６と、を有している。各框体６は、押出成形部材であり複層ガラス５の上下に配置される上框６１及び下框６２と、複層ガラス５の左右に配置される戸先框６３及び召合せ框６４と、を有し、各々隣り合う框６１、６２、６３、６４が直角をなすように、隣り合う框６１、６２、６３、６４の端部同士を突き合わせるとともに溶着されて矩形状に形成されている。
【００２４】
各框体６の上框６１、下框６２、及び、戸先框６３には、框体６を形成したときに外周側に位置する部位に、内周側に窪む框溝６ａが各々の長手方向に沿って設けられている。また、内障子３及び外障子４の召合せ框６４には、互いに対向する側に突出し、各々戸尻側から戸先側に延び上下方向の全長に渡って設けられたヒレ部６４ａを有しており、内障子３及び外障子４を閉じたときに、各々のヒレ部６４ａが、相手のヒレ部６４ａと召合せ框６４との間に入り込むように設けられた煙返し６５が設けられている。外障子４の煙返し６５には、その内周側にステンレス製の煙返し補強部材６６が設けられている。
【００２５】
上框６１は、長手方向に沿う框中空部６１ａを有しており、框中空部６１ａの内周側に複層ガラス５の上端部が収容されるガラス収容部６１ｂを押縁６７と共に形成する内周突出部６１ｃが設けられており、框中空部６１ａの外周側に框溝６ａが設けられている。框溝６ａ内には、断面がコ字状をなすステンレス製の補強部材６８が長手方向の略全長にわたって設けられており、框中空部６１ａ内には、断面がコ字状をなすスチール製の補強部材６９が長手方向の略全長にわたって設けられている。
【００２６】
框溝６ａ内に設けられた框溝内補強部材６８は、見込み方向に対向する一対の框溝内対向壁部６８ａと、一対の框溝内対向壁部６８ａの下端を連結する框溝内連結部６８ｂと、を有し、コ字状の開放される側が上方に向けられて配置されている。
【００２７】
框中空部６１ａ内に設けられた框中空部内補強部材６９は、上下方向に対向する一対の框中空部内対向壁部６９ａと、一対の框中空部内対向壁部６９ａの下端を連結する框中空部内連結部６９ｂと、を有し、コ字状の開放される側が室内側に向けられて配置されている。
【００２８】
框溝内補強部材６８と框中空部内補強部材６９とは、框溝内連結部６８ｂと上側の框中空部内対向壁部６９ａとが、上框６１において框中空部６１ａと框溝６ａとの間に位置する部位を介してビス止めされている。また、上側の框中空部内対向壁部６９ａには、ガラス収容部６１ｂ内に設けられ複層ガラス５の端部を保持するステンレス製のガラス側補強部材５ａが、上框６１において框中空部６１ａとガラス収容部６１ｂとの間に位置する部位を介してビス止めされている。本実施形態に用いられているビスはいずれも金属製である。
【００２９】
框溝内補強部材６８には、一対の框溝内対向壁部６８ａの両面と、框溝内連結部６８ｂの上面とに加熱発泡材７が設けられており、框中空部内補強部材６９には、框中空部内連結部６９ｂの両面と、上側の框中空部内対向壁部６９ａの下面とに加熱発泡材７が設けられている。また、複層ガラス５の上面にも加熱発泡材７が設けられている。下框６２、戸先框６３、及び、召合せ框６４にも金属製の補強部材６８、６９及び加熱発泡材７が設けられているが、図面にて同符号を付し、その説明は省略する。
【００３０】
枠体２は、同一の断面形状をなす４本の合成樹脂製の押出成形部材でなる枠材により構成されており、内障子３及び外障子４にて閉止可能な開口２ａの上下に配置される上枠２１及び下枠２２と、開口２ａの左右に配置される縦枠２３とが、各々隣り合う枠材２１、２２、２３が直角をなすように、隣り合う枠材２１、２２、２３の端部同士を突き合わせるとともに溶着されて矩形状に形成されている。
【００３１】
上枠２１は、見込み方向に並び長手方向に沿う５つの枠中空部２１ａ、２１ｂ、２１ｃ、２１ｄ、２１ｅを有する本体部としての上枠本体２４と、上枠本体２４の室内側の縁から垂設された内垂設壁部２１ｆと、上枠本体２４の室外側の縁から垂設された外垂設壁部２１ｇと、内垂設壁部２１ｆと外垂設壁部２１ｇとの間にて上枠本体２４から垂設され、内障子３及び外障子４が有する上框６１の框溝６ａに挿入される内レール２５及び外レール２６と、上枠本体２４から上方に延出されて躯体８に固定される躯体固定部２１ｈと、を有している。以下の説明においては、上枠本体２４にて、５つの枠中空部２１ａ、２１ｂ、２１ｃ、２１ｄ、２１ｅの下側にて見込み方向に繋がっている部位を下面部２４ａと称する。
【００３２】
上枠本体２４の下面部２４ａにおいて、内レール２５、及び、外レール２６の間は、下面が平面をなしている。ここで、内レール２５と外レール２６との間に位置する下面部２４ａは、内レール２５と外レール２６とを連結する連結部に相当する。以下の説明においては、上枠２１が有する５つの枠中空部２１ａ、２１ｂ、２１ｃ、２１ｄ、２１ｅを室外側から順に最外中空部２１ａ、外側中空部２１ｂ、中央中空部２１ｃ、内側中空部２１ｄ、最内中空部２１ｅと称することとする。
【００３３】
躯体固定部２１ｈは、内側中空部２１ｄの上方に形成されており、躯体固定部２１ｈの室内側に配置されている躯体８に合わせて、内側中空部２１ｄの室内側の部位と最内中空部２１ｅの高さは、最外中空部２１ａから内側中空部２１ｄにおける躯体固定部２１ｈより室外側の部位の高さより低く形成されている。以下の説明においては、下面部２４ａと上下方向にて対向し、最外中空部２１ａから内側中空部２１ｄにおける躯体固定部２１ｈより室外側の部位の上側にて見込み方向に繋がっている部位を上面部２４ｂと称する。
【００３４】
内レール２５及び外レール２６は、長手方向に沿う第１中空部としてのレール中空部２５ａ、２６ａを有し、縦断面形状が縦長の長方形状をなしている。内レール２５は、内側中空部２１ｄの下に設けられており、外レール２６は、外側中空部２１ｂの下に設けられている。内レール２５及び外レール２６のレール中空部２５ａ、２６ａ内には、ステンレス製のレール補強部材９が、内レール２５及び外レール２６の全長に渡って設けられている。
【００３５】
レール補強部材９は、内レール２５及び外レール２６が有しレール中空部２５ａ、２６ａの上面と対向する上板部９ａと、上板部９ａの見込み方向における一方の縁から下方に垂設された垂設板部９ｂと、垂設板部９ｂの下端から下方に向かい、垂設板部９ｂに対して上板部９ａが設けられている側に向かう傾斜面をなす傾斜板部９ｃとを有している。
【００３６】
上枠２１の上には、複数のステンレス製の躯体固定部材としての上枠固定補強部材１０が、上枠２１の左右方向において適宜間隔を空けて設けられている。上枠固定補強部材１０は、断面がＬ字状をなし、躯体固定部２１ｈの室外側に重ねて配置される鉛直板部１０ａと、上枠本体２４の上面部２４ｂ上に重ねて配置される水平板部１０ｂと、を有している。鉛直板部１０ａは、躯体固定部２１ｈとともに室外側から進入するビスにより躯体８に固定され、水平板部１０ｂは、外側中空部２１ｂ内に設けられているステンレス製の室外側補強部材１１と、内側中空部２１ｄ内に設けられているアルミニウム製の押出成形材でなる室内側補強部材１２とに、それぞれビス止めされている。
【００３７】
室外側補強部材１１は、外側中空部２１ｂの上下に位置する上面部２４ｂ及び下面部２４ａと各々近接して対向する一対の対向面部１１ａと、一対の対向面部１１ａの室内側の縁を上下方向に連結する室外連結部１１ｂとを有し、断面がコ字状をなしている。上枠固定補強部材１０が固定されるビスは、室外側補強部材１１の上側の対向面部１１ａに螺合され、下側の対向面部１１ａには、外レール２６内のレール補強部材９を外レール２６の下面から貫通するビスが螺合されている。また、室外側補強部材１１には、室外連結部１１ｂの室外側の面に加熱発泡材７が設けられている。ここで、室外側補強部材１１が、レール補強部材９の上に設けられ躯体８との間を連結する外レール２６の連結補強部材に相当する。
【００３８】
室内側補強部材１２は、内側中空部２１ｄの形状に合わせて室外側にて内側中空部２１ｄの高さが高い部位にはほぼ矩形状をなす矩形補強部１２ａと、矩形補強部１２ａの下端から室内側に延出された室内延出部１２ｂと、室内延出部１２ｂの室内側の端から上方に立ち上がる上方延出部１２ｃとを有している。上枠固定補強部材１０が固定されるビスは、矩形補強部１２ａの上部に螺合され、室内延出部１２ｂには、内レール２５内のレール補強部材９を内レール２５の下面から貫通するビスが螺合されている。また、室内側補強部材１２には、矩形補強部１２ａの室外側の面に加熱発泡材７が設けられている。ここで、室内側補強部材１２が、レール補強部材９の上に設けられ躯体８との間を連結する内レール２５の連結補強部材に相当する。
【００３９】
内レール２５上の内側中空部２１ｄと外レール２６上の外側中空部２１ｂとの間に設けられている中央中空部２１ｃには、アルミニウム製の押出部材でなる金属製部材としての中間補強部材１３が、上枠２１の全長にわたって設けられている。すなわち、中間補強部材１３は、内レール２５より室外側且つ外レール２６より室内側に配置されている。中間補強部材１３が設けられる中央中空部２１ｃの断面形状はほぼ矩形状をなしている。
【００４０】
中間補強部材１３は、図３、図４に示すように、下面部２４ａと対面する下対面部１３ａと、下対面部１３ａの室外側の縁から上方に延出して壁部をなす室外壁部１３ｂと、室外壁部１３ｂの上端側に設けられ、中央中空部２１ｃを形成する上面部２４ｂと僅かに間隔を空けて対面する上方対面部１３ｃと、上方対面部１３ｃの室内側の縁から上方に突出する突出片１３ｄとを有している。室外壁部１３ｂの上方対面部１３ｃより上に突出した部位と、突出片１３ｄとは、突出量がほぼ等しく形成され、見込み方向において互いに対向するように形成されている。室外壁部１３ｂの上方対面部１３ｃより上に突出した部位と上方対面部１３ｃと突出片１３ｄとは、長手方向に沿う溝部１３ｅをなしている。溝部１３ｅには加熱発泡材７が設けられている。
【００４１】
中間補強部材１３は、下対面部１３ａが中央中空部２１ｃの下面部２４ａ上に配置された状態で、左右方向における両端部が、下面部２４ａの下方から進入するビス１５により、下対面部１３ａが下面部２４ａに固定されている。ここで、中央中空部２１ｃが第２中空部に相当する。
【００４２】
内障子３及び外障子４が、枠体２に建て付けて、框溝６ａ内に内レール２５及び外レール２６が挿入されたときに、框溝６ａ内に設けられた框溝内補強部材６８の上端６８ｃが、内レール２５及び外レール２６のレール中空部２５ａ、２６ａ内に設けられたレール補強部材９の下端９ｄより上に位置している。
【００４３】
また、中間補強部材１３の高さは、外障子４の煙返し６５に設けられた煙返し補強部材６６の上端と、室外側補強部材１１及び室内側補強部材１２の下端との間隔より高く形成されている。ここで、室外側補強部材１１の下端は、対向面部１１ａの下面であり、室内は補強部材１２の下端は、矩形補強部１２ａ及び室内延出部１２ｂの下面である。
【００４４】
所謂けんどん式により建て付けられる内障子３と外障子４の上方には、内障子３及び外障子４の上端と、上枠２１の内レール２５と外レール２６との間の下面部２４ａとの間に形成される空間を塞ぐ軟質合成樹脂製の風止め部材１４が設けられている。上枠２１の内レール２５と外レール２６との間に設けられた風止め部材１４は、内障子３及び外障子４の召合せ框６４が有する煙返し６５上、すなわち煙返し補強部材６６の上に位置している。
【００４５】
本実施形態の建具１によれば、火災等により上枠２１が溶融されるときには、図５に示すように、内レール２５と外レール２６との間の下面部２４ａも溶融されるので、中央中空部２１ｃの下面部２４ａ上に配置されている中間補強部材１３が降下するとともに、中央中空部２１ｃ内に設けられた加熱発泡材７が発泡する。このため、内レール２５と外レール２６と間に中間補強部材１３が介在され、内レール２５、外レール２６、中間補強部材１３の隙間に発泡した加熱発泡材７が進入するので、防火性がより高い建具１を提供することが可能である。
【００４６】
また、火炎により内レール２５と外レール２６との間の下面部２４ａが溶融されて降下する中間補強部材１３が、煙返し補強部材６６の上に降下するので、内障子３と外障子４とで仕切られる２つの空間の間で火炎が貫通することをより確実に防止することが可能である。
【００４７】
また、中間補強部材１３の高さが、煙返し補強部材６６の上端６６ａと室外側補強部材１１及び室内側補強部材１２の下端との間隔より高いので、火炎により下面部２４ａが溶融されて煙返し補強部材６６上に降下した中間補強部材１３の上端部は、室外側補強部材１１及び室内側補強部材１２の下端より上側に位置する。このため、中間補強部材１３が煙返し補強部材６６上に降下してもレール補強部材９が固定されている室外側補強部材１１及び室内側補強部材１２に両側から支持される。このため、降下した中間補強部材１３を内レール２５のレール補強部材９と外レール２６のレール補強部材９との間に留めておくことが可能である。
【００４８】
また、躯体８に固定される上枠固定補強部材１０と連結されている室外側補強部材１１及び室内側補強部材１２が中間補強部材１３の室内側及び室外側に各々設けられているので、たとえ、火炎により上枠２１が溶融したとしても、中間補強部材１３の室内側及び室外側に室外側補強部材１１及び室内側補強部材１２は残存する。このため、下面部２４ａが溶融された場合には、室外側補強部材１１及び室内側補強部材１２に案内されて中間補強部材１３が降下するので、中間補強部材１３を、倒れないように降下させることが可能である。
【００４９】
内レール２５と外レール２６との間は、召合せ部を境に、内障子３と外障子４とより仕切られる２つの空間に分けられる。このため、本実施形態の建具１のように、中間補強部材１３が上枠２１の両端部側にて固定されていると、一方の固定部と他方の固定部とは、互いに異なる空間側、すなわち室内側と室外側とに位置することになる。このため、いずれか一方の空間側で火炎が発生し、一方の空間側の固定部が火炎に晒されて溶融しても、他方の空間側に位置するビス１５により中間補強部材１３が保持される。このため、一方の空間側の固定部が溶融して当該一方の空間側で中間補強部材１３が降下したとしても、図６に示すように、召合せ部にて中間補強部材１３が煙返し補強部材６６上に載置された状態を維持することが可能である。
【００５０】
また、加熱発泡材７は、中間補強部材１３が配置される中央中空部２１ｃを形成する下面部２４ａと対向し、中央中空部２１ｃを形成する上面部２４ｂと、当該上面部２４ｂと対向する中間補強部材１３の上方対面部１３ｃとの間に設けられているので、加熱発泡材７が加熱されて発泡すると中間補強部材１３が下方に押圧される。このため、より早く、より確実に中間補強部材１３を降下させるとともに、内レール２５と外レール２６との間に加熱発泡材７を進入させることが可能である。
【００５１】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、２  枠体、３  内障子、４  外障子、７  加熱発泡材、
９  レール補強部材、９ｄ  レール補強部材の下端、１０  上枠固定補強部材、
１１  室外側補強部材、１２  室内側補強部材、１３  中間補強部材、
１３ｃ  上方対面部、２１  上枠、２１ｃ  中央中空部、２４  上枠本体、
２４ａ  下面部、２４ｂ  上面部、２５  内レール、２５ａ  レール中空部、
２６  外レール、２６ａ  レール中空部、６５  煙返し、６６  煙返し補強部材
【図１】
2018188806.tif 000003
【図２】
2018188806.tif 000004
【図３】
2018188806.tif 000005
【図４】
2018188806.tif 000006
【図５】
2018188806.tif 000007
【図６】
2018188806.tif 000008